(57)【特許請求の範囲】
【請求項１】
トップ衣類、ボトム衣類あるいはトップとボトムとが一体化した繋ぎ衣類の少なくとも前身頃全体と後身頃全体とを、夫々、伸縮性糸条を用いて編物機により連続編成した伸びを有する編地から構成し、
上記前身頃の腹部にあたる部分の編組織を変えて膨らませ、立体的に腹部を包むようにすると共に他の部位よりも伸びを持たせ、
かつ、上記伸縮性糸条としてポリウレタン系弾性糸条を綿で被覆している多層構造の糸条を用い、該多層構造の糸条と綿糸を用いて、いずれか一方を表用糸条、いずれか他方を裏用糸条としていることを特徴とする乳幼児用を含む幼児用衣類。
【請求項２】
上記編地は丸編機により編成した円筒状編地からなり、前身頃と後身頃を連続させている請求項１に記載の幼児用衣類。
【請求項３】
上記編地はフロート編あるいはタック編のリブ状編みからなる編組織を基本として、腹部に当たる部分は天竺編みとして縦横両方への伸びを持たせて他の部分よりも伸びを大きくしている請求項１または請求項２に記載の幼児用衣類。
【請求項４】
上記トップ衣類あるいは繋ぎ衣類に、伸縮性糸条を用いた編地の袖部を縫着して取り付け、該袖部は天竺編みとして縦横両方への伸びを持たせ、かつ、袖部先端は伸縮性糸条のパワーを大とすると共に袋編みとして無縫製としている請求項１乃至請求項３のいずれか１項に記載の幼児用衣類。
【請求項５】
上記トップ衣類あるいは繋ぎ衣類は、少なくとも背面側上部は本パイル編みとして、他の部位よりも吸汗性および通気性を持たせている請求項１乃至請求項４のいずれか１項に記載の幼児用衣類。
【請求項６】
上記トップ衣類の下辺は、伸縮性糸条のパワーを大とすると共に袋編みとして無縫製としている請求項１乃至請求項５のいずれか１項に記載の幼児用衣類。
【請求項７】
上記ボトム衣類あるいは繋ぎ衣類の股部は、背面側から前面側へとまわして、それらの両端に設けた止具で着脱自在に係止するオムツカバー型とし、かつ、該背面側および前面側の股部に当たる部位はフロート編あるいはタック編でタミー状編みとして伸びを小さくしている請求項１乃至請求項４のいずれか１項に記載の幼児用衣類。
【請求項８】
上記ボトム衣類の上辺のウエスト部は伸縮性糸条のパワーを大とすると共に袋編みとして無縫製としている請求項１、２、３、７のいずれか１項に記載の幼児用衣類。
【請求項９】
上記ボトム衣類はパンツ型として、左右足ぐりは伸縮性糸条のパワーを大とすると共に袋編みとして無縫製としている請求項１、２、３、７、８のいずれか１項に記載の幼児用衣類。
【請求項１０】
上記ボトム衣類はズボン型として、左右足部の膝に当たる部分は天竺編みとして縦横両方への伸びを他の部分よりも大きくすると共に、その外周にフロートメッシュ編みを施して伸びを少なくしている請求項１、２、３、７、８、９のいずれか１項に記載の幼児用衣類。
【請求項１１】
上記ボトム衣類はズボン型として、左右足部の膝より下部までを天笠編みとして縦横両方への伸びを持たせている請求項１、２、３、７、８、９、１０のいずれか１項に記載の幼児用衣類。
【請求項１２】
上記左右足部の先端は伸縮性糸条のパワーを大とすると共に袋編みとして無縫製としている請求項１０または請求項１１に記載の幼児衣類。
【請求項１３】
上記トップ衣類、ボトム衣類或いは繋ぎ衣類は肌着からなる請求項１乃至請求項１２のいずれか１項に記載の幼児用衣類。
【発明の詳細な説明】
【０００１】
【発明の属する技術分野】
本発明は、乳幼児用を含む幼児用衣類に関し、詳しくは、０歳から２歳前後までの乳幼児及び２歳前後から約６歳まで幼児の主として肌着として用いられる衣類に関し、特に、成長に伴う体型変化とサイズ変化に対応できて長期間着用できる共に、乳幼児の月齢、幼児の年齢に対応した動きに追従できる構成とし、かつ、柔らかい肌に刺激を与えないようにしているものである。
【０００２】
【従来の技術】
従来、この種の幼児用の肌着、特に、乳幼児用の肌着は、柔らかい肌に刺激を与えないために、合成繊維を用いずに、大半は綿１００％の編地より形成されている。
【０００３】
即ち、トップ衣類のシャツ、ボトム衣類のパンツ、ズボン、繋ぎ衣類の所謂カバーオールやロンパース等は、通常、綿１００％の編地を、前身頃、後身頃、袖等にわけて裁断し、これら裁断したパターンを縫着して上記衣類を形成している。また、袖口、足回り、ウエスト等はゴムをつけて身体に沿わせている場合が多い。
【０００４】
【発明が解決しようとする課題】
上記した綿１００％の編地からなる肌着を含む衣類では、全体として伸縮性が少ないと共に、部分的に伸縮性を変えることもできない。
よって、まず、乳幼児及び幼児は発育により短期間に体型が大きく変化するが、従来の綿１００％の編地からなる衣類では、伸縮性が少ないため、体型変化に追従できず、着用期間が短くなってしまう問題がある。
【０００５】
さらに、乳幼児および幼児は、大人および学齢に達した後の子供と相違して、腹部が前へ突き出でいる共通の形態的特徴を有するが、この特徴に対応させた肌着および外衣は従来提供されていない。特に、ロンパース等の繋ぎ衣類では、腹部に他の部位よりも伸びを持たせて、腹部の膨らみを対応させる必要があるが、従来の衣類では対応できず、その結果、大き過ぎるか小さ過ぎることになり、フィット感が悪い問題がある。
【０００６】
上記のように、腹部が突き出た共通の特徴を有する一方、各段階に応じて形態特性および動特性が著しく相違する。よって、形態特性および動特性に対応できるようにしておく必要があるが、従来の衣類は、各段階に応じた形態特性の変化および動特性の変化に対応させていない。よって、フィット感が悪いと共に、運動機能を損なう恐れもある。
【０００７】
例えば、乳幼児の場合においては、図１（Ａ）に示す誕生から２〜４ケ月の第１段階は、身体の成長速度が一生のうちで最も早く、身体的な特徴は胴長で、足が短く、腹部が最も前に突き出している。動特性については、臥位中心の時期で、寝ているか、やっと寝返りができる程度であり、動きとしては、手足の曲げ伸ばしがなされ、腹ばいで手足をばたつかせる程度である。よって、この第１段階の衣類の重要点は、お腹が最も前へ突き出るため、腹部のサイズ変化に対応できるようにしておくことであり、かつ、首がすわっていない場合が多く、寝たきりであるため、乳幼児への衣類の脱着の容易さが重要となる。
【０００８】
図１（Ｂ）の３〜６ケ月から６〜８ケ月の第２段階は、身体の成長は第１段階よりも緩やかになるが、腰部（おしり）の成長が大きく、腰部が腹部を上回るようになり、言わば、おしりの成長期にあたる。動特性については、寝返り及び一人すわりができるようになり、座位が中心となってくる。よって、この第２段階の衣類は重要点は、腰部（おしり）のサイズ変化に対応できるようにしておくことであり、かつ、おすわりをした時および抱き上げた時に、ウエスト部のだぶつきをなくすことが好ましい。
【０００９】
図１（Ｃ）の６〜１０ケ月から１０〜１５ケ月の第３段階は、形態的特徴は下半身部が発達し、動特性は動きが活発となり、つかまり立ち、一人立ち、一人歩きができる自立歩行へ向かう段階で、立位が中心となってくる。よって、この第３段階の衣類の重要点は、動作が伸び伸びできるようにすることで、特に、上肢上挙による体側の伸びが最大となるため、この体側にあたる部分を動作に追従できるようにすることが重要である。
【００１０】
上記のように、０〜１５ケ月の乳幼児の場合は、特に、発育が一生のうちで最も急速で、形態変化が大きいため、衣類、特に、肌着が発育に対応できるようにし、かつ、各発育段階の動特性にも対応出来るようにすることが、発育および運動機能を阻害せずに発達を促進させる点からも望まれている。
また、乳幼児から学齢に達するまでの幼児も、腹部がまだ前に出ている形態で、かつ、動作も非常に活発であるため、この形態的特性および動特性に衣類を対応させることが好ましい。
しかしながら、前述したように、従来提供されている乳幼児用を含めた幼児用衣類は、成長過程における段階的な動特性を考慮して設計されておらず、この点から運動機能を発達促進させる作用が乏しい問題がある。
【００１１】
さらに、衣類、特に、肌着は洗濯の頻度が多いが、従来の綿１００％の肌着の場合には、洗濯により伸びが生じると、元に戻らず、型くずれしやすい問題がある。さらにまた、乳幼児の皮膚は大人の約１／３の厚さで、繊細で様々な刺激に弱いが、従来の衣類は縫着部が多く、この縫着部が柔らかい乳幼児の肌に直接触れるため、刺激を与え、肌荒れ等を発生させる可能性がある。
【００１２】
本発明は上記した種々の問題点に鑑みてなされたもので、誕生から約１５ケ月までの乳幼児および１５ケ月から約６歳までの幼児の体型変化および動作変化に対応させて、フィット感を向上させると共に運動機能を促進させ、かつ、着用期間を長くできると共に、肌あれ及び型崩れが発生しにくい、主として肌着に用いるられる衣類を提供することを課題としている。なお、本発明の衣類は肌着としての着用に限定されず、外衣としても併用して着用できるようにするものである。
【００１３】
【課題を解決するための手段】
上記課題を解決するため、本発明は、トップ衣類、ボトム衣類あるいはトップとボトムとが一体化した繋ぎ衣類の少なくとも前身頃全体と後身頃全体とを、夫々、伸縮性糸条を用いて編物機により連続編成した伸びを有する編地から構成し、
上記前身頃の腹部にあたる部分の編組織を変えて膨らませ、立体的に腹部を包むようにすると共に他の部位よりも伸びを持たせ、
かつ、上記伸縮性糸条としてポリウレタン系弾性糸条を綿で被覆している多層構造の糸条を用い、該多層構造の糸条と綿糸を用いて、いずれか一方を表用糸条、いずれか他方を裏用糸条としていることを特徴とする乳幼児用を含む幼児用衣類を提供している。
【００１４】
請求項１に記載の衣類は、伸縮性糸条を用いた伸びを有する編地から構成しているため、伸縮性糸条を用いていない通常のメリヤス編みよりも伸び易く、かつ、伸びた後も原状に戻りやすい。よって、上下寸法及び胸、腹、腰回り等の周径寸法を約１０センチ程度は十分に伸ばすことができる。通常、前記第１図（Ａ）（Ｂ）（Ｃ）で示す段階に応じて、伸長が約１０センチずつ伸びるため、３段階に応じた３種類のサイズを設けることにより、乳幼児の全期間を通して体型にフィットした衣類を提供することができる。しかも、各段階中にも、一生のうちで最も発育速度が早く、身長の伸び、および胸囲、腹囲、腰囲等の増加が著しく、体型が変化するが、１つのサイズの衣類が上下左右共に１０センチ程度は十分に伸縮するため、運動機能を損なわずに、かつ、無駄な余裕を持たせずフィットさせることができる。また、伸縮性糸条からなる編地で構成しているため、洗濯をしても元の形状に戻る復元力があり、従来の綿１００％の衣類と比較して型くずれしにくい。
【００１５】
また、乳幼児を含む幼児は、その成長が一生のうちで最も早いと共に、身体の各部が均一に成長するのではなく、段階に応じて成長速度が相違するため、成長の各段階に応じて、その中でも特に成長の著しい部分の伸びを他の部分よりも大きくして、形態的特性に対応させている。かつ、成長の各段階に応じて動特性も相違するため、各段階に応じて運動機能を阻害せず、逆に促進できるように、段階に応じて所要部位の伸びを大きくしている。
【００１６】
さらに、少なくとも前身頃全体および後身頃全体は、編物機により連続編成した編地から形成しているため、縫製部位を少なくできる。よって、縫製部位により肌に与える刺激を少なくでき、肌が柔らかい乳幼児に肌荒れ等を発生させにくい機能がある。
【００１７】
上記幼児用の衣類では、前身頃の腹部にあたる部分の編組織を変えて膨らませ、立体的に腹部を包むようにすると共に他の部位よりも伸びを持たせている。
このように、乳幼児を含む幼児の形態的特性である腹部が前へ出た体型に対して、腹部にあたる部分の編組織を変えて膨らませて立体的に腹部を包むと共に他の部位よりも伸びを持たせると、ゆったりとフィットした着用感を与えることができる。特に、新生児では腹部が最も前に突き出した形態となるため、ロンパース等の繋ぎ衣類で腹部を他の部位と同様な構成とするとタイトとなって締め付け感を与えるが、この点を解消することができる。
【００１８】
上記編地は丸編機により編成した円筒状編地からなり、前身頃と後身頃を連続させていることが好ましい。この構成とすると、縫着部を減少でき、縫着部による肌への刺激をより低減できる。また、縫製作業を減少でき、衣類の加工工程を減らして、生産性を高めることができる。なお、衣類が前開きタイプの場合には、円筒状編地を軸線方向に沿って切断して形成している。
【００１９】
上記伸縮性糸条としてポリウレタン系弾性糸条を綿で被覆している多層構造の糸条を用い、該多層構造の糸条と綿糸を用いて、いずれか一方を表用糸条、いずれか他方を裏用糸条としている。具体的には、上記多層構造の糸条として、３重量％のポリウレタンと９７重量％の綿とからなるスパンデックス糸条の外周面を、綿１００％でカバーしているコアスパンヤーン（登録商標）を用いている。
【００２０】
伸縮性を持たせるためには、綿糸１００％で編成することはできず、上記した伸縮性を有する合成繊維の糸条を用いるが、その外周面を綿１００％で被覆した多層構造の糸条を用いると、肌には綿が接触するため、肌当たりを良くすることができる。なお、伸縮性糸条は多層構造の糸条に限定されず、綿で被覆されていないが、肌への刺激が少ない糸条を用いても良いことはいうまでもない。
【００２１】
上記編地はフロート編あるいはタック編のリブ状編みを基本として、腹部に当たる部分は天竺編みとして縦横両方への伸びを持たせることが好ましい。
このように前に出ている腹部に当たる部分を円形或いは楕円形状に区分して、リブ状編みから天竺編みに変え、膨らみを持たせると共に、縦横両方に伸びを大きくすると、腹部の膨張に追従させて、ゆったりと包むことができ、乳幼児に締め付け感を与えず、着用感を良好とすることができる。
【００２２】
上記トップ衣類あるいは繋ぎ衣類に、伸縮性糸条を用いた編地の袖部を縫着して取り付け、該袖部は天竺編みとして縦横両方への伸びを持たせ、かつ先端は伸縮性糸条のパワーを大とすると共に袋編み（所謂ニットイン）として無縫製としている。
上記のように袖部の先端の糸条は、その伸縮性糸条のパワーを大としているため、腕に沿わせることができ、袖口がだぶつかず、運動機能を阻害しない。また、袖部も伸縮性糸条を用いて天竺編みとしているため、腕の運動に容易に追従させることができ、運動機能の発達を阻害しない。さらに、先端を袋編みとしているため無縫製とすることができ、腕へ刺激を軽減できる。なお、袖丈は半袖、あるいは長袖のいずれでもよく、また、袖をつけないノースリーブタイプとしても良いことは言うまでもない。
【００２３】
上記トップ衣類あるいは繋ぎ衣類は、少なくとも背面側上部の肌側を本パイル編みとして、他の部位よりも吸汗性および通気性を持たせることが好ましい。
具体的には、後身頃の背中の中位置より上端の首回りまでを区画して、この区画された部分を本パイル編みとしている。前身頃側では首回りを広くあけているため、本パイル編み部分を設けていないが、勿論、前身頃の首回りを本パイル編みとして吸汗性および通気性を持たせてもよい。
【００２４】
特に、乳幼児は成人と比べて体表面積に対する発汗量が２倍と大きく、特に背中上部は汗をかきやすい。よって、この部分に本パイル編み部分を設けて、吸汗性および通気性を良くすることは好ましい。また、新生児は殆ど寝たきりであるため、汗をかきやすく、蒸し暑い夏季には、汗をかいて、むれが生じやすいため、吸汗性および通気性を良くすることは有効である。
【００２５】
首回りの形状は、衣類の脱着の容易さ、および頭の大きさ等の体型および動特性に応じて選択される。前記図１（Ａ）の０〜約４ケ月の第１段階では首がすわっておらず、特に頭が大きいため、頭からかぶせるタイプは不具合であり、前打ち合わせタイプとして、首回りを大きなＶ字形状に打ち合わせることが好ましい。  図１（Ｂ）の約３ケ月〜８ケ月の第２段階では首がすわっていると共に、動きが活発となるため、前打ち合わせより頭からかぶるタイプが好ましいが、頭が大きいため、首回りを大きくでき、脱着させやすいクロスショルダーとすることが好ましい。
図１（Ｃ）の約６ケ月から１５ケ月の第３段階では、動きが更に活発になり、首を通すのをいやがる場合が多いため、簡単に脱着できる両肩グリッパー型とすることが好ましい。なお、片方の肩をグリッパーとしても良い。
【００２６】
上記ボトム衣類あるいは繋ぎ衣類の股部は、背面側から前面側へとまわして、それらの両端に設けた止具で着脱自在に係止するオムツカバー型とし、その場合には、該背面側および前面側の股部に当たる部位はフロート編あるいはタック編のタミー状編みとして伸びを小さくして、オムツをずれにくくしている。
【００２７】
上記図１（Ａ）の第１段階に着用させる衣類は、大半が繋ぎタイプのロンパース型であり、また、図１（Ｂ）（Ｃ）の第２、第３段階に着用させる衣類は、トップとボトムとに区別する場合もあるが、ロンパース型も併用して着用される場合が多い。このロンパース型とした場合、およびボトム衣類の場合、乳幼児はオムツをしている段階であるので、股部では、背面側から前面側へとまわして、それらの両端に設けた止具で着脱自在に係止するオムツカバー型としている。かつ、このオムツカバーに当たる部位には、オムツおよび排泄物の重みが付加されるため、当該部分はタミー編みとして伸びを小さくし、重みによりずり下がらないようにしている。
また、止具の位置も発育の段階に対応させて設定している。即ち、上記第２段階用では、背面からの折り返し部を前面側の腹部下端近傍まで伸ばして、止具の位置を相当上方に設定し、この時期のオムツ替えをしやすくしている。
一方、上記第３段階用では、うつぶせ状態が多くなる時期であることを考慮して、止具の位置を第２段階より下方に設定している。
【００２８】
また、上記繋ぎタイプの衣類およびボトム衣類では、第２段階からおしりが発達してくるため、おしりに当たる部分も膨らませて立体化させると共に縦横の伸びが大きな天竺編みとしている。該構成とすると、おしりの発達に追従させてフィットさせることができる。
【００２９】
上記トップ衣類の下辺は伸縮性糸条のパワーを大とすると共に、袋編みとして無縫製としてもよい。即ち、図１（Ａ）の第１段階においては、ロンパース型とせずに、下辺をオープンとしたシャツタイプでも良く、この場合、オムツ替え時に、上記オムツカバー型で必要とした止具の脱着作業を省略できる。さらに、乳幼児の第２、第３段階および幼児用では、トップとボトムとに分けて着用させる場合が多くなる。その場合、トップの下辺は伸縮性糸条のパワーを大とすると、身体にフィットさせることができる。特に、この時期は運動が活発であるため、衣類ははだけやすいが、上記構成とすると、身体に常にフィットさせて着崩れを防止できる。また、袋編みとして無縫製としているため、縫製部位を少なくでき、肌への刺激が少なくなり、かつ、縫工程を減少できる利点がある。なお、下辺を折り返して縫着しても良いことは言うまでもない。
【００３０】
上記ボトム衣類の上辺のウエスト部は伸縮性糸条のパワーを大とすると共に、袋編みとして無縫製としている。このように、ウエスト部にパワーの大きな伸縮性糸条を用いると、適度の拘束力でウエストにフィットさせることができる。従来のようにゴムを使っていないため、ウエスト部分を締め付けず、ずり落ちない程度にボトム衣類の上端をウエストで保持できる。また、無縫製であるため、ウエスト部分の皮膚に刺激をあたえない。なお、ウエスト部分に限らず、上端から腹部までの広い範囲をパワーのある伸縮性糸条を用いて袋編みとし、腹部にフィットさせて腹巻の機能を持たせ、腹部の冷えを防止できるようにしてもよい。
【００３１】
上記ボトム衣類はパンツ型とした場合、左右足ぐりは、伸縮性糸条のパワーを大とすると共に袋編みとして無縫製としている。
なお、図１（Ｂ）の第２段階でのパンツは、動特性の点から所謂ブリーフ型の形状としておくことが好ましく、ブリーフ型とした場合には袋編みとせずに、パイピングで端末処理を施すことが好ましい。
図１（Ｃ）の第３段階ではオムツカバーをつつみ込むような、所謂トランクス型とし、かつ、太股の付け根に当たる位置に足ぐりを設け、この足ぐりを上記したようにパワーのある伸縮性糸条を用いて袋編みとすると、太股の付け根にフィットさせることができる。特に、この太股の付け根に当たる部分は肌が弱いために、無縫製として、肌への刺激を和らげることは有効である。
【００３２】
上記ボトム衣類はズボン型として、左右足部の膝にあたる部分は天竺編みとして縦横両方への伸びを他の部分よりも大とすると共に、上記部分の外周にフロートメッシュ編みを施して伸びを少なくしている。このように、屈伸運動がなされる膝に当たる部分の伸びを大とすると、運動機能を阻害せず、かつ、その外周の伸びを小さくしておくと、膝の部分の型崩れを抑制できる。
【００３３】
上記ボトム衣類はズボン型として、左右足部の膝より下端まで天笠編みとして縦横両方への伸びを持たせてもよい。該構成とした場合も、活発な足部の動きに追従させることができる。
【００３４】
さらに、上記ズボン型とした場合、足部先端は伸縮性糸条のパワーを用いると共に袋編みとして無縫製とすることが好ましい。該構成とすると足部先端を足囲りにフィットさせて、動きやすくでき、足の運動機能の発達を促進させることができる。さらに、足が伸びて、ズボン先端が足のいずれの位置に当たっても、強すぎず且つ弱すぎない力でフィットさせることができる。特に、長い目のズボンを着用させた場合にはダブつきが生じないようにフィットさせることができる。歩く時或いはハイハイした時に、ズボンの裾を踏んで転ぶことが多いが、上記のように、スボン先端を足部にフィットさせておくと、ズボンの裾を踏んで転ぶような事態を発生させない。
【００３５】
上記トップ衣類、ボトム衣類或いは繋ぎ衣類は主として肌着からなる。上記第１段階の新生児の段階では殆ど寝たきりで外出の機会も少ないため、衣類は肌着が主となる。しかしながら、第２段階、段３段階およびそれ以降の幼児段階では、外出の機会が多くなるため、肌着としてだけではなく、外衣としても併用できるような、色合いや、柄を持たせておくことも好ましい。
【００３６】
【発明の実施の形態】
以下、本発明の実施形態の主として肌着となる衣類を、各段階毎に区別して説明する。
図２（Ａ）（Ｂ）乃至図５（Ａ）（Ｂ）は、前記図１（Ａ）の０〜約３ケ月の新生児の第１段階用の肌着からなる第１実施形態を示す。
【００３７】
上記第１実施形態の肌着および後述する第２実施形態以降の肌着は、いずれも図６に示すように、成形用丸編機を用いて筒形状に連続編成した編地１から形成している。上記成形用丸編機は従来公知の編み方を部分的に替える機能を具備したもので、編み方を部分的に変えて、所要部位に所要の編組織を与えると共に、立体的な膨らみを同時に持たせるように立体編成している。
【００３８】
即ち、肌着の各実施形態において後述するように、上記筒形状に連続編成した編地１は、基本的には図７に示すフロート編でリブ状編み２としている。なお、タック編でリブ状編みとしてもよい。また、所要箇所に縦横の伸びを大きくした図８に示す天竺編み３、吸汗性および通気性を良くするための図９に示す本パイル編み４、伸びを小さくした図１０に示すフロート編のタミー状編み５、縦方向の伸びを大とした図１１に示すフロート編で縦伸びリブ状編み７、伸びを殆どなくした図１２に示すフロート編でメッシュ状編み８、さらに、図７のリブ状編みからなる袋編（ニットイン）６を施して、所要箇所にそれぞれ対応した伸びを与えている。なお、上記フロート編をタック編に変えてもよい。各実施形態の肌着は上記編組織２〜８をすべて具備しているものではない。
【００３９】
上記編成に用いる糸条は、図１３に示すように、裏用糸条として伸縮性糸条１０を用いると共に、表用糸条として綿糸１１を用いて編成し、伸縮性糸条１０を用いることにより、編地全体に縦横に約１０センチの伸びが生じるようにしている。
【００４０】
上記伸縮性糸条１０として、本実施形態ではポリウレタン系弾性繊維に綿をカバーした多層構造の伸縮性糸条を用いている。詳しくは、３重量％のポリウレタンと９７重量％の綿とからなるスパンデックス糸条の外周面を、綿１００％でカバーしているコアスパンヤーン（登録商標）を用いている。このように裏用糸条となる伸縮性糸条１０は綿でカバーしているため、肌には天然繊維の綿のみを接触させて、肌への刺激を低減している。
【００４１】
上記第１段階の新生児用のロンパース型の肌着１５を示す図２（Ａ）（Ｂ）乃至図４（Ａ）（Ｂ）において、図２は編組織の相違に応じて全面にわたって相違するハッチングを施している一方、図３は部分的にハッチングを施して示している。なお、以下の実施形態では、図３と同様に部分的なハッチングを施して示す。
【００４２】
上記第１段階のロンパース型肌着１５は、前打ち合わせタイプとしている。よって、図６に示すような円筒形状に連続編成した編地を軸線方向に沿って切断して、図１４に示すように、左右に分かれる前身頃１６と後身頃１７とを１枚の連続した編地から構成している。なお、図６は後述する第２段階の編地を示し、第１段階の編地ではない。
左右の袖部１８は丸編機で別に筒形状に編成した編地を用いて構成し、上記前身頃１６と後身頃１７とで構成するラグラン型の肩ぐりに袖部１８の一端を縫着している。その後、大きくＶ字形状に前打ち合わせする首回りの端末、打ち合わせされる前身頃１６の両端末、足ぐり回りの端末、さらに、オムツカバー状に形成した前後下端縁の端末に、それぞれパイピング１９を施して、端末処理を行っている。さらに、上記前後下端縁に止具２０を取り付けて、オムツカバーを取り替える時に開くようにし、かつ、前打ち合わせ部に結び紐２１を取り付けている。
【００４３】
上記ロンパース型肌着１５では、腹部に当たる部分１５ａは大きな楕円形状に区画して縦横両方に伸びを大きくした天竺編み３とし、かつ、前方に膨らませて立体性を持たせている。また、止具２０により開閉される股部にあたる部分１５ｂは伸びを小さくしたタミー状編み５としている。さらに、後身頃１７の上部の背骨位置から首回り上端にかけた部分１５ｃは吸汗性および通気性のよい本パイル編み４としている。前身頃１６および後身頃１７の他の残部はリブ状編み２としている。よって、前身頃１６と後身頃１７とを連続編成する編地は、リブ状編み２、天竺編み３、本パイル編み４、タミー状編み５の４種類の編み方を用いて編成している。
【００４４】
上記袖部１８は半袖として、きちんと手が出る袖丈とし、かつ、腹部と同様な縦横に伸びのある天竺編み３とし、かつ、袖口１８ａは袋編み６として、袖口１８ａを無縫製としている。また、該袋編み６の部分には伸縮性糸条１０としてパワーのあるものを用いて、腕の周囲にフィットさせるようにしている。
【００４５】
上記オムツカバー型の左右足ぐり２２は、新生児の足はＭの字型に曲がって横方向に出るため、足が横方向からでて、曲げ伸ばしが出来易い形状としている。
【００４６】
上記構成からなる図２および図４に示す新生児用の第１段階のロンパース型肌着１５では、まず、最も腹部が前方へ突出する時期であるが、腹部にあたる部分を大きな伸びを有する天竺編み３とすると共に膨らませた立体構成としているため、前に張り出した腹部を立体的に包みこみ、やさしくフィットさせることができる。特に、この時期は腹式呼吸を行うため、腹部に圧迫感を与えることは好ましくないが、本実施形態の構成とすると、腹部に圧迫感を与えない。
【００４７】
また、この時期は発汗量が多く、しかも、ほとんど寝たきりで蒸れが発生しやすいが、最も発汗量が多い背中上部の肌側に吸汗性および通気性のよい本パイル編み４を施しているため、吸汗性がよく、むれの発生を防止することができる。さらに、股部にはオムツ、オムツカバーさらに尿等の排泄物により荷重がかかるが、伸びの小さいタミー状編み５を施しているため、負荷による伸びやずれを発生させない。
【００４８】
さらに、伸縮性糸条を用いているので、通常のメリヤス編みよりも良く伸びると共に、前身頃１６及び後身頃１７の他の残部全体を伸びのあるリブ状編み２で編成して、縦横両方に１０センチ程度十分に伸びることができるため、成長の著しい体幹部に、上記伸びと立体編みとで、十分に対応させることができる。
【００４９】
さらに、前打ち合わせタイプとしているため、首がすわらず、殆ど寝たきりの新生児に対して、脱着を容易にでき、かつ、紐２１で結んでいるため、はだけ等の着崩れが発生しにくい。
【００５０】
さらにまた、ミルク、母乳等をよくもどすと共に、便がゆるく、かつ、回数も多いため、肌着１５は汚れやすい。よって、洗濯の頻度は多くなるが、伸縮性糸条１０を含む編地で構成しているため、洗濯後も元の形状に復元し、型崩れを発生させにくい。
【００５１】
さらに、特に、新生児は皮膚が繊細で刺激に弱いが、前身頃１６と後身頃１７とを一体の編地から形成して、縫製部を少なくしているため、肌に与える刺激は少ない。しかも、裏用糸条として綿で被覆した多層構造の糸条からなる伸縮性糸条１０を用いると共に、表用糸条として綿糸１１を用い、肌に接する部分は綿としているため、この点からも肌への刺激を少なくすることができる。
【００５２】
図５は第１実施形態の変形例を示し、ロンパース型ではなく、股部よりも若干下方まで伸びる下辺をオープン型としたトップシャツの肌着１５からなる。このオープン型の下辺２３は下端を折り返して縫着して端末処理しているが、下端をパワーを大とした伸縮性糸条を用いて袋編みとして端末を無縫製としてもよい。
【００５３】
上記変形例と第１実施形態との他の相違点は、後身頃１７の首回りに本パイル編みの部分を設けていない点である。下辺を開放した場合には、第１実施形態よりも通気性が良いために、上記本パイル編みを省略している。他は同一の構成であり、同一の機能を有するため、説明を省略する。なお、第１実施形態と同様に、後身頃１７の首回りを本パイル編みとしても良いことは言うまでもない。
【００５４】
図１５（Ａ）（Ｂ）乃至図１８（Ａ）（Ｂ）は前記図１（Ｂ）の約３ケ月〜約８ケ月の第２段階の肌着からなる第２実施形態を示す。この第２段階では前記したように、形態的にはおしりの発達が著しく、かつ、動特性としては、寝返り、おすわりができ、動作が活発になる時期である。よって、この時期の衣類は、寝返りをした場合や手を挙げた時に脇がつっぱることがないようにし、かつ、おすわりした時に背中や股部がつっぱることがないようにする必要がある。また、寝返り等により寝相が悪くなり、お腹が出やすいため、着崩れ生がじないようにする必要もある。
【００５５】
図１５乃至図１８に示す肌着は上記した点を考慮した構成としている。即ち、新生児用の第１実施形態の肌着１５と相違して、前打ち合わせ型とせずに、頭から被る型としており、よって、図６に示す円筒形状に連続編成した編地をそのままの形態で前身頃１６と後身頃１７として用いて、身頃部分は無縫製とし、第１実施形態と同様に袖部１８を縫着して取り付けている。
【００５６】
図１５（Ａ）（Ｂ）および図１６（Ａ）（Ｂ）の第２実施形態の肌着２５は、前記図２と同様なロンパース型とし、図１７（Ａ）（Ｂ）の第２実施形態の変形例は図５と同様な下辺をオープン型とした言わばトップシャツとし、図１８（Ａ）（Ｂ）は図１７のトップ側衣類と組み合わせて着用させるボトム側のパンツを示している。
【００５７】
まず、ロンパース型の図１５および図１６に示す肌着２５は、第１実施形態の肌着１５と同様に、腹部に当たる部分２５ａは大きな楕円形状に区画して縦横両方に伸びを大きくした天竺編み３とし、かつ、前方に膨らませて立体性を持たせている。また、止具２０により開閉される股部にあたる部分２５ｂは伸びを小さくしたタミー状編み５とし、さらに、後身頃１７の上部の背中の中位置から首回り上端にかける部分２５ｃは吸汗性および通気性のよい本パイル編み４としている。
【００５８】
第１実施形態の肌着１５との相違点は、左右両脇部２５ｄに縦方向の伸びが大きい縦伸びリブ状編み７を施している。また、後身頃１７側では、臀部にあたる部分２５ｅを略円形に区画して、腹部側と同様に、縦横両方に伸びの大きな天竺編み３を施すと共に後方へ膨らむように立体編みとしている。さらに、背中の中心部で、背面側ウエストの中心に当たる部分２５ｆは略菱形形状に区画して、伸びの少ないタミー状編み５を施している。
【００５９】
前身頃１６および後身頃１７の他の残部はリブ状編み２としている。よって、前身頃１６と後身頃１７とを連続編成する編地は、リブ状編み２、天竺編み３、本パイル編み４、タミー状編み５、縦伸びリブ状編み７の５種類の編組織から構成している。
【００６０】
上記袖部１８は半袖として、第１実施形態の肌着１５と同様に、きちんと手が出る袖丈とし、かつ、天竺編み３とすると共に、袖口１８ａはパワーのある伸縮性糸条を用いて袋編み６として、袖口１８ａを無縫製として、腕の周囲にフィットさせている。
【００６１】
首回りは、大きな頭の乳幼児に対して肌着２５を脱着出来やすいようにクロスショルダーとし、その周縁にパイピング１９を施している。
オムツカバー型の股部では、その後身頃１７側からの折り返し部分１７ａを第１実施形態の肌着１５よりも腹部側に近い上方位置で前身頃１６側と止具２０により係止できる設定としている。
【００６２】
上記構成からなる肌着２５では、前記第１実施形態の肌着１５と同一機能を有していると共に、左右両脇に縦伸びリブ状編み７を施しているため、脇部分の伸びが大きく、手を上に挙げたりする動作をした場合、および寝返りを打った場合、おすわりした場合等において、脇の部分で肌着２５がつっぱることがなく、スムーズに動作に追従させることができる。
【００６３】
さらに、臀部にあたる部分を天竺編み３として伸びを大きくしていると共に膨らませているため、発達してくる臀部の形態に無理なく追従させることができ、おすわりした時に背中および股部でのつっぱりを無くし、着用感を高めることができる。
【００６４】
さらにまた、背中側のウエストの中心に伸びの少ないタミー状編み５を施した菱形部分を設けているため、背面側の肌着２５のだぶつきが少なくなり、背面側において肌着２５を安定させて、身体にフィットさせ、その結果、動きやすくすることができる。また、この時期は首がすわっているため、抱きあげる機会も増えるが、その時、背面側にだぶつきを発生させないため、抱きやすくすることができる。
【００６５】
図１７に示す下辺をオープンとしたシャッツタイプの第２実施形態の変形例では、第１実施形態の図５に示す変形例と同様に、下辺２３は下端を折り返して縫着して端末処理しているが、下端をパワーのある伸縮性糸条を用いて袋編みとして端末を無縫製としてもよい。また、この変形例と第２実施形態との他の相違点は、後身頃１７の背中上部に本パイル編みの部分を設けていない点である。他は同一の構成であり、同一の機能を有するため、説明を省略する。
【００６６】
図１８（Ａ）（Ｂ）に示すパンツ２６は、図１（Ｂ）に示す第２段階用に限定されず、図１（Ｃ）に示す第３段階および、それ以降の約６歳までの幼児用のボトム用衣類としても用いられるものである。
【００６７】
上記パンツ２６は所謂ブリーフ型の形状とし、かつ、深い股がみとして、下腹部を立体的に包みこみ、オムツおよびオムツカバーの上から無理なく着用できる設計としている。
【００６８】
上記パンツ２６も、伸縮性糸条を裏用糸条、綿糸を表用糸条として用いて丸編機で連続編成した円筒体から形成しており、股部において、後身頃１７の中央下端部を前身頃側に折り返して、前身頃１６の中央下端部と縫着している。また、腹部に当たる部分２６ａは縦横の両方に伸びの大きな天竺編み３とすると共に膨らませて立体的とし、臀部に当たる部分２６ｅも天竺編み３として膨らませて立体的としている。さらに、背面側のウエスト中心部分２６ｆに菱形形状のタミー状編み５の部分を設け、かつ、股部２６ｂもタミー状編み５としている。
【００６９】
さらに、上端のウエストに位置する部分２６ｈはパワーのある伸縮性糸条を用いて袋編み６として無縫製とし、この袋編み６により形成したウエスト部分を、腰部に適度な拘束力でフィットさせ、ずり落ちないようにしている。なお、上記袋編み６の部分の幅を広げて、腹帯の機能を持たせても良い。また、必ずしも袋編みにする必要はない。
【００７０】
図１９（Ａ）（Ｂ）乃至図２３は前記図１（Ｃ）の約６ケ月〜約１５ケ月の第３段階の乳幼児用の肌着からなる第３実施形態を示す。この第３段階では前記したように、形態的特徴は、更におしりが発達すると共に、足がまっすぐになる。また、動特性としては、ハイハイする時間が長くなると共に、つかまり立ち、さらに、自立歩行が可能となり、動作がより活発になる時期である。よって、衣類は、ハイハイしたり、歩く時に裾を踏んで転ばないようにすること、様々な動作の中で脇部分がつっぱらないようにすると共に着崩れが生じないようにすること、および、あばれて着せにくいために、素早く着せられると共に脱がせることができるようにすることが必要である。
【００７１】
図１９乃至図２３に示す肌着は上記した点を考慮した構成としており、前記図１５乃至図１７の第２段階の肌着と略同様な構成としている。即ち、頭から被る型として、図６に示す円筒形状に連続編成した編地をそのままの形態で前身頃１６と後身頃１７として用いて、身頃部分は無縫製とし、他の実施形態と同様に袖部１８を縫着して取り付けている。
【００７２】
図１９（Ａ）（Ｂ）の第３実施形態は前記図１４と同様なロンパース型とし、図２０（Ａ）（Ｂ）は他の変形例と同様な下辺をオープン型とした言わばトップシャツとし、図２１（Ａ）（Ｂ）は図２０のトップ側衣類と組み合わせて着用させるボトム側のトランクス型のパンツを示し、図２２（Ａ）（Ｂ）および図２３はズボンを示している。
【００７３】
まず、ロンパース型の図１９（Ａ）（Ｂ）の肌着３０は、第２実施形態の肌着２５と同様な構成としている点が多く、腹部３０ａに当たる部分は大きな楕円形状に区画して縦横両方に伸びを大きくした天竺編み３とし、かつ、前方に膨らませて立体性を持たせている。また、止具２０により開閉される股部にあたる部分３０ｂは伸びを小さくしたタミー状編み５とし、さらに、後身頃１７の上部の背中の中位置から首回り上端にかけた部分３０ｃは吸汗性および通気性のよい本パイル編み４としている。さらに、左右両脇部３０ｄに縦方向の伸びが大きい縦伸びリブ状編み７を施している。また、後身頃１７側では、臀部にあたる部分３０ｅを略円形に区画して、腹部側と同様に、縦横両方に伸びの大きな天竺編み３を施すと共に後方へ膨らむように立体編みとしている。さらに、背中の中心部で、背面側ウエストの中心に当たる部分３０ｆは略菱形形状に区画して、伸びの少ないタミー編み５を施している。前身頃１６および後身頃１７の他の残部はリブ状編み２としている。よって、前身頃１６と後身頃１７とを連続編成する編地は、リブ状編み２、天竺編み３、本パイル編み４、タミー状編み５、縦伸びリブ状編み７の５種類の編組織を用いて編成している。袖部１８は半袖として、他の実施形態と同様に、きちんと手が出る袖丈とし、かつ、天竺編み３とすると共に、袖口１８ａはパワーのある伸縮性糸条を用いて袋編み６として、袖口１８ａを無縫製として、腕の周囲にフィットさせている。
【００７４】
第２実施形態の肌着２５との相違点は、動きが活発で、首を通すのをいやがる乳幼児に対して、素早く肌着３０を脱着できるように、首回りは片方の肩をグリッパーとしている点である。即ち、首回りは丸首とすると共に、首回りから一方の肩部にかけて前後身頃１６と１７とを縫着せず、止具３１により開閉できるようにしている。なお、両肩グリッパーとしてもよい。
【００７５】
オムツカバー型の股部では、うつぶせ状態が多くなるために、その後身頃１７側からの折り返し部分１７ａを第２実施形態の肌着２５よりも股部側の下方に位置させて、前身頃１６側と止具２０により係止できる設定としている。このように、止具２０の位置を下方に下げると、うつぶせ状態の時に腹部側がだぶつかず、運動機能を高めることができる。
【００７６】
上記構成からなる肌着３０では、第２実施形態の肌着２５と同一機能を有していると共に、首回りを肩グリッパーとしているため、脱着させやすくなる。また、この時期は腰部が発達するが、腹部、臀部を膨らませて立体化させていると共に、両脇部に縦伸びリブ状編み７を施しているため、サイズ変化にも無理なく対応させることができる。
【００７７】
図２０（Ａ）（Ｂ）に示す下辺をオープンとしたシャツ型の第３実施形態の変形例は、第２実施形態の変形例と略同様で、首回りを肩グリッパーとしている点のみが相違するため、説明を省略する。この図２０の変形例では背中上部の首回りに吸汗性および通気性のよい本パイル編みを施していないが、本パイル編みを施す方が好ましい事は言うまでもない。
【００７８】
図２１（Ａ）（Ｂ）に示すパンツ３５は、図１（Ｃ）に示す第３段階用に限定されず、図１（Ｂ）に示す第２段階および、それ以降の約６歳までの幼児用のボトム用衣類としても用いることが出来る。
【００７９】
上記パンツ３５は、オムツカバーをつつみ込むような型とし、かつ、太股の付け根に当たる位置に足ぐり３６を設け、この足ぐり３６をパワーのある伸縮性糸条を用いて袋編み６として、太股の付け根にフィットさせている。この足ぐり３６は図示のように前身頃１６側に位置させ、この時期において、おすわり、ハイハイ、歩行時に足が前方へ出るために、足ぐり３６の位置を上記のように設定している。この足ぐり３６は太股の付け根に当たり、この部分は肌が弱いために、無縫製として、肌への刺激を和らげていることは有効である。
【００８０】
上記パンツ３５も、伸縮性糸条を裏用糸条、綿糸を表用糸条として用いて丸編機で連続編成した円筒体から形成しており、股部において、後身頃１７の中央下端部を前身頃側に折り返して、前身頃１６の中央下端部と縫着している。また、上記連続編成時に上記左右の足ぐり３６を袋編み６により形成すると共に、上端のウエストに位置する部分も同様にパワーのある伸縮性糸条を用いて袋編み６として無縫製としている。このように、袋編み６でウエスト部分を形成すると、ウエスト部に適度な拘束力でフィットさせ、ずり落ちないようにできる。なお、上記袋編み６の部分の幅を広げて、腹帯の機能を持たせ、お腹の冷えを防止するようにしても良い。さらに、腹部および臀部にあたる部分３５ａ、３６ｅは天竺編み３として伸びを大きくすると共に膨らませて立体化させ、かつ、股部にあたる部分３６ｂはタミー状編み５とし、さらに、背面側のウエスト中心部３６ｆに菱形形状のタミー状編み５を設けて、背面側でだぶつきが発生しないようにしている。他の部分はリブ状編み２としている。
【００８１】
上記パンツ３５は、ウエスト部分および足ぐり部分を袋編み６として無縫製で身体にフィットさせているため、肌に刺激を与えない状態で、常に身体に沿わせることができ、おすわり、ハイハイ、一人だち、歩行のいずれの段階においても着崩れを発生させない。
【００８２】
図２２（Ａ）（Ｂ）に示すズボン３８は、膝下まで左右足部３９を延在させているもので、膝の位置から下端までの部分を天竺編み３として縦横両方への伸びを持たせると共に足部先端はパワーのある伸縮性糸条を用いて袋編み６として無縫製としている。また、上記パンツ３５の場合と同様に腹部および臀部に当たる部分３８ａ、３８ｅも天竺編み３として縦横方向に大きな伸びを持たせると共に膨らませて立体化させ、かつ、背面側のウエスト中心部３８ｆにタミー状編み５を菱形形状で施している。さらに、上端のウエストもパワーのある伸縮性糸条で袋編み６として無縫製としている。なお、この袋編み６の幅を広げて腹帯の機能を持たせ、お腹の冷えを防止するようにしてもよい。他の部分はリブ状編み２としている。
【００８３】
上記構成のズボン３８は、左右足部３９の膝下部分を天竺編みとして縦横両方への伸びを持たせているため、活発な足部の動きに追従させることができる。また、足部先端はパワーのある伸縮性糸条で袋編み６として足囲りにフィットさせているため、動きやすくでき、足の運動機能の発達を促進させる。さらに、幼児の足が伸びて、足部３９の先端が足のいずれの位置に当たっても、強すぎず且つ弱すぎない力でフィットさせることができる。特に、長い目のズボンを着用させた場合にはダブつきが生じないようにフィットさせることができる。歩く時或いはハイハイした時に、ズボンの裾を踏んで転ぶことが多いが、上記のように、足部３９の先端を足にフィットさせておくと、足部３９の裾を踏んで転ぶような事態を発生させない。なお、必ずしも足部３９の先端を袋編みとする必要はない。
【００８４】
図２３はズホン３８の変形例を示し、相違点は、左右の足部３９は他の部分と同様にリブ状編み２とする一方、膝にあたる部分３８ｇを円形に区画して上下左右に伸びのある天竺編み３とし、かつ、円形の外周に伸びが少ないフロート編のメッシュ状編み８を円環状に施している。他の部分の構成は図２１のズボンと同様であるため説明を省略する。
【００８５】
上記のように、屈伸される膝の部分を伸びのある天竺編み３としておくと、膝の屈伸がスムーズにできる。かつ、足部３９の膝が出やすいが、その外周に伸びの少なくメッシュ状編み８を施しているため、足部３９の膝が出て型くずれするのが抑制される。
【００８６】
図２４（Ａ）（Ｂ）は図１に示す乳幼児以降、即ち、約１５ケ月〜６歳までで、まだ、腹部が前にでている体型の幼児用のトップシャッツからなる肌着４０を示す。第３実施形態の図２０に示す肌着との相違点は首を大きな丸首とし、オープンとした下辺は、パワーのある伸縮性糸条を用いて袋編み６として身体にフィットさせている点である。他は同一であるため、同一符号を付して説明を省略する。  なお、６歳近くになると腹部が余り前に出なくなってくるため、腹部にあたる部分は天竺編みとして他の部分よりも伸びを大きくするだけとし、前に膨らませなくても良い。
【００８７】
なお、１５ケ月以降でも、オムツが取れるまでは、ロンパース型の肌着を着用することが多いため、第３実施形態の図１９に示すロンパース型で、首を丸首としたタイプのもの等が好適に適用できる。
【００８８】
図２５（Ａ）（Ｂ）（Ｃ）の肌着４２は、第１、第２、第３実施形態の肌着は半袖であったが、長袖４１としたものである。この長袖４１とした場合も、天竺編み３からなる丸編みの連続編地を用いて構成し、袖口をパワーのある伸縮性糸条を用いて袋編み６としている。
【００８９】
なお、図示していないが、第１、第２、第３実施形態の半袖をなくして、ノースリーブタイプとしても良い。
【００９０】
また、上記各実施形態の肌着は、外衣として併用することもできる。さらに、衣類の色は、従来は殆どが白色であったが、所要の色彩を施しても良く、かつ、ストライプ等の柄を施すことも好ましい。この場合、デザイン性が高められ、外出用のお洒落着として着用できる。
【００９１】
【発明の効果】
以上の説明より明らかなように、本発明に係わる乳幼児用を含む幼児用衣類では、伸縮性糸条を用いた編地から構成しているため、丈および周径を伸ばすことができ、成長の著しい乳幼児および幼児用として、比較的長期間使用することができる。また、上記のように伸縮機能をもっているため、運動機能を損なわないうえ、無駄な余裕を持たせずフィットさせることができるため、運動機能を促進させることができる。
【００９２】
また、伸縮性糸条からなる編地で構成しているため、洗濯をしても元の形状に戻る復元力があり、従来の綿１００％の衣類と比較して型くずれしにくい。特に、乳幼児および幼児では衣類を汚す頻度が高く、洗濯回数は大人の衣類よりも多いため、上記洗濯による型くずれがしにくいことは、大きな利点である。
【００９３】
さらに、丸編物機により連続編成した円筒形状の編地から形成しているため、縫製部位を少なくでき、縫製部位による肌に与える刺激を少なくできる。しかも、伸縮性糸条は綿で被覆した多層構造の糸条を用いているため、肌には綿のみが接触し、肌に与える刺激を少なくできる。
【００９４】
また、連続編成の際に、所要部位に所要の編み方を施して、必要部位に必要な伸びを与える一方、伸びを与えることが好ましくない部位は伸びを小さくして、乳幼児および幼児の体型的な特性および動特性に適合させているため、着用時に身体に無理を生じさせず、運動機能を高めることができる。
特に、乳幼児を含む幼児の形態的特性である腹部が前へ出た体型に対しては、腹部にあたる部分の編み方を変えて伸びを大きくすると共に、膨らませて立体的に腹部を包むようにしているため、ゆったりとフィットした着用感を与えることができる。新生児では腹式呼吸をするため、衣類により腹部へ圧迫を与えることは問題があるが、本発明の衣類ではこの問題を確実に解決できる。
【００９５】
また、袖口、裾回り、足回り、ウエスト等の従来はゴムを通していた部分は、パワーのある伸縮性糸条を用いると共に袋編みとして無縫製とし、適度な拘束力で身体にフィットさせているため、運動がしやすく、かつ、活発な動作をしても着崩れを発生させない。
【００９６】
さらに、汗をかきやすい背面側上部は本パイル編みとして吸汗性および通気性を持たせているため、特に、発汗量が多く、寝ている時間が長い乳幼児には、蒸れを発生させない等の種々の利点を有するものである。
【図面の簡単な説明】
【図１】（Ａ）（Ｂ）（Ｃ）は乳幼児の発達段階に応じた動特性を示す概略図である。
【図２】第１実施形態の肌着において編み方の異なる部分の全面に異なるハッチングを施して示したもので、（Ａ）は正面図、（Ｂ）は背面図である。
【図３】図２のハッチングを部分的に施したもので、（Ａ）は正面図、（Ｂ）は背面図である。
【図４】第１実施形態の斜視図を示し、（Ａ）は正面側から見た斜視図、（Ｂ）は背面側から見た斜視図である。
【図５】第１実施形態の変形例を示し、（Ａ）は正面図、（Ｂ）は背面図である。
【図６】円筒形状の連続編成した編地を示す概略斜視図である。
【図７】リブ状編みの概略図である。
【図８】天竺編みの概略図である。
【図９】本パイル編みの概略図である。
【図１０】タミー状編みの概略図である。
【図１１】縦伸びリブ状編みの概略図である。
【図１２】メッシュ状編みの概略図である。
【図１３】使用する糸条を示す概略図である。
【図１４】第１実施形態の裁断パターンを示す図面である。
【図１５】第２実施形態の肌着を示し、（Ａ）は正面図、（Ｂ）は背面図である。
【図１６】第２実施形態の斜視図を示し、（Ａ）は正面側から見た斜視図、（Ｂ）は背面側から見た斜視図である。
【図１７】第２実施形態の変形例を示し、（Ａ）は正面図、（Ｂ）は背面図である。
【図１８】第２段階用のパンツを示し、（Ａ）は正面図、（Ｂ）は背面図である。
【図１９】第３実施形態の肌着を示し、（Ａ）は正面図、（Ｂ）は背面図である。
【図２０】第３実施形態の変形例を示し、（Ａ）は正面図、（Ｂ）は背面図である。
【図２１】第３段階用のパンツを示し、（Ａ）は正面図、（Ｂ）は背面図である。
【図２２】第３段階用のズボンを示し、（Ａ）は正面図、（Ｂ）は背面図である。
【図２３】第３段階用のズボンの変形例を示す正面図である。
【図２４】トップ型衣類の変形例を示し、（Ａ）は正面図、（Ｂ）は背面図である。
【図２５】（Ａ）（Ｂ）（Ｃ）は長袖とした変形例の正面図である。
【符号の説明】
１  編地
２  リブ状編み
３  天竺編み
４  本パイル編み
５  タミー状編み
６  袋編み
７  縦伸びリブ状編み
８  メッシュ状編み
１０  伸縮性糸条
１１  綿糸
１５、２５、３０、４０  肌着
１８  袖
２０  止具
２６  ３５    パンツ
３８  ズボン
【図１】
0003606692.tif 000002
【図２】
0003606692.tif 000003
【図３】
0003606692.tif 000004
【図４】
0003606692.tif 000005
【図５】
0003606692.tif 000006
【図６】
0003606692.tif 000007
【図７】
0003606692.tif 000008
【図８】
0003606692.tif 000009
【図９】
0003606692.tif 000010
【図１０】
0003606692.tif 000011
【図１１】
0003606692.tif 000012
【図１２】
0003606692.tif 000013
【図１３】
0003606692.tif 000014
【図１４】
0003606692.tif 000015
【図１５】
0003606692.tif 000016
【図１６】
0003606692.tif 000017
【図１７】
0003606692.tif 000018
【図１８】
0003606692.tif 000019
【図１９】
0003606692.tif 000020
【図２０】
0003606692.tif 000021
【図２１】
0003606692.tif 000022
【図２２】
0003606692.tif 000023
【図２３】
0003606692.tif 000024
【図２４】
0003606692.tif 000025
【図２５】
0003606692.tif 000026